(57)【要約】【課題】  地中の水が新設管内に浸入するのを防止すること。【解決手段】  頭部１２に連結された胴部１４のうちアダプタリング４８内を閉塞板５６で閉塞し、閉塞板５６のケーブル挿通孔７６の縁に止水パッキン８２を介して取り付けユニット８４を固定し、取り付けユニット８４を介してケーブル挿通孔７６内を挿通したケーブル５２、５４を取り付けユニット８４で摺動自在に支持し、頭部１２内に水が浸入しても、この水がアダプタリング５０を介して新設管１８内に浸入するのを防止する。【選択図】  図１
2008214989.tif 000002
【特許請求の範囲】
【請求項１】
地中管内にその一部が挿入されて、前記地中管に径が拡大する方向の力を駆動エネルギーに応じて付与する頭部と、筒状に形成されて、長手方向の一端側に前記頭部が連結され、他端側には新設管が連結される胴部と、駆動源からの駆動エネルギーを前記頭部に供給するケーブルと、前記胴部のうち前記ケーブルが挿通する領域を残して前記胴部内を閉塞する閉塞板と、を備えてなる地中管取替え装置。
【請求項２】
請求項１に記載の地中管取替え装置において、前記閉塞板には、前記ケーブルを挿通するケーブル挿通孔が形成され、前記ケーブルは、前記ケーブル挿通孔内に摺動自在に挿入されてなることを特徴とする地中管取替え装置。
【請求項３】
請求項２に記載の地中管取替え装置において、前記ケーブル外周に装着された環状の弾性パッキンと、前記弾性パッキンを前記ケーブル挿通孔の縁に沿って前記閉塞板に固定するパッキン固定部材と、を備え、前記弾性パッキンと前記パッキン固定部材は、前記ケーブルと前記閉塞板のケーブル挿通孔との間隙を埋めてなることを特徴とする地中管取替え装置。
【請求項４】
請求項２に記載の地中管取替え装置において、前記ケーブルとの間に間隙を残して前記ケーブルの周囲を囲むリングと、前記リングを間にして両側に分かれて配置されて前記ケーブル外周に装着された環状の弾性パッキンと、前記ケーブル挿通孔の縁に沿って配置された環状の止水パッキンと、前記止水パッキンを介して前記弾性パッキンと前記リングを前記閉塞板のうち前記ケーブル挿通孔近傍に固定するパッキン固定部材と、を備え、前記止水パッキンと前記弾性パッキンおよび前記パッキン固定部材は、前記ケーブルと前記閉塞板のケーブル挿通孔との間隙を埋めてなることを特徴とする地中管取替え装置。
【発明の詳細な説明】
【技術分野】
【０００１】
本発明は、地下に埋設された下水道管等の既設管を、地面を開削することなく破壊しながら新設管に取り替えるときに使用する地中管取替え装置に関する。
【背景技術】
【０００２】
従来の地中管取替え装置としては、例えば、既設管の外径より大きな外径を有する胴部を備えた掘削機の後端に、新設管の保護スリーブとして役立つライナを取り付け、掘削機の先端を先にして、掘削機を既設管内に入り込ませながら、新設管またはライナとともに移動させて既設管を破断し、破断した既設管内に、新設管またはライナを入れるようにしたものが提案されている（特許文献１参照）。
【０００３】
この地中管取替え装置によれば、地面を開削することなく、地下に埋設された下水道管等の既設管を破壊しながら新設管に取り替えることができる。
【０００４】
【特許文献１】特公昭６０−２７８７３号公報
【発明の開示】
【発明が解決しようとする課題】
【０００５】
しかし、従来技術では、掘削機が挿入される胴部を防水構造にすることについては配慮されておらず、既設管を破壊した際に、地中の水が掘削機の周囲等から胴部内に入り込むと、この水が新設管内に入り込み、管の取り替え作業に支障を来たすことが危惧される。
【０００６】
本発明は、前記従来技術の課題に鑑みて為されたものであり、その目的は、地中の水が新設管内に浸入するのを防止することにある。
【課題を解決するための手段】
【０００７】
前記課題を解決するために、請求項１に係る地中管取替え装置は、地中管内にその一部が挿入されて、前記地中管に径が拡大する方向の力を駆動エネルギーに応じて付与する頭部と、筒状に形成されて、長手方向の一端側に前記頭部が連結され、他端側には新設管が連結される胴部と、駆動源からの駆動エネルギーを前記頭部に供給するケーブルと、前記胴部のうち前記ケーブルが挿通する領域を残して前記胴部内を閉塞する閉塞板と、を備えてなる構成とした。
【０００８】
（作用）頭部や胴部内に土砂が浸入するのを防止する構造としても、高圧水下では、頭部や胴部内に水が浸入することがある。しかし、胴部内を、ケーブルが挿通する領域を残して閉塞板で閉塞するようにしたため、既設管を新設管に取り替える作業を行っているときに、頭部内に水が浸入しても、この水が胴部を介して新設管内に浸入するのを防止することができ、新設管の敷設作業を円滑に行うことができる。
【０００９】
請求項２に係る地中管取替え装置は、請求項１に記載の地中管取替え装置において、前記閉塞板には、前記ケーブルを挿通するケーブル挿通孔が形成され、前記ケーブルは、前記ケーブル挿通孔内に摺動自在に挿入されてなる構成とした。
【００１０】
（作用）閉塞板にケーブル挿通孔を形成し、このケーブル挿通孔内にケーブルを摺動自在に挿入するようにしたため、既設管を新設管に取り替える作業を行っているときに、頭部と胴部の移動が同期しないで、胴部が長手方向にスライドし、ケーブルが長手方向に沿って伸縮しても、ケーブルを円滑に移動させることができるとともに、ケーブルが損傷するのを防止することができる。
【００１１】
請求項３に係る地中管取替え装置は、請求項２に記載の地中管取替え装置において、前記ケーブル外周に装着された環状の弾性パッキンと、前記弾性パッキンを前記ケーブル挿通孔の縁に沿って前記閉塞板に固定するパッキン固定部材と、を備え、前記弾性パッキンと前記パッキン固定部材は、前記ケーブルと前記閉塞板のケーブル挿通孔との間隙を埋めてなる構成とした。
【００１２】
（作用）ケーブル外周に環状の弾性パッキンを装着し、この弾性パッキンをケーブル挿通孔の縁に沿って配置して、パッキン固定部材で閉塞板に固定し、弾性パッキンとパッキン固定部材により、ケーブルと閉塞板のケーブル挿通孔との間隙を埋めるようにしたため、頭部内に水が浸入しても、この水が胴部を介して新設管内に浸入するのをより確実に防止することができる。
【００１３】
請求項４に係る地中管取替え装置は、請求項２に記載の地中管取替え装置において、前記ケーブルとの間に間隙を残して前記ケーブルの周囲を囲むリングと、前記リングを間にして両側に分かれて配置されて前記ケーブル外周に装着された環状の弾性パッキンと、前記ケーブル挿通孔の縁に沿って配置された環状の止水パッキンと、前記止水パッキンを介して前記弾性パッキンと前記リングを前記閉塞板のうち前記ケーブル挿通孔近傍に固定するパッキン固定部材と、を備え、前記止水パッキンと前記弾性パッキンおよび前記パッキン固定部材は、前記ケーブルと前記閉塞板のケーブル挿通孔との間隙を埋めてなる構成とした。
【００１４】
（作用）ケーブル外周にリングを間にしてその両側に弾性パッキンを装着し、ケーブル挿通孔の縁に沿って止水パッキンを配置し、止水パッキンを介して弾性パッキンとリングを閉塞板のうちケーブル挿通孔近傍に配置して、パッキン固定部材で閉塞板に固定し、止水パッキンと弾性パッキンおよびパッキン固定部材により、ケーブルと閉塞板のケーブル挿通孔との間隙を埋めるようにしたため、頭部内に水が浸入しても、この水が胴部を介して新設管内に浸入するのをより確実に防止することができる。
【発明の効果】
【００１５】
以上の説明から明らかなように、請求項１によれば、頭部内に水が浸入しても、この水が胴部を介して新設管内に浸入するのを防止することができ、新設管の敷設作業を円滑に行うことができる。
【００１６】
請求項２によれば、ケーブルが長手方向に沿って伸縮しても、ケーブルを円滑に移動させることができるとともに、ケーブルが損傷するのを防止することができる。
【００１７】
請求項３によれば、頭部内に水が浸入しても、この水が胴部を介して新設管内に浸入するのをより確実に防止することができる。
【００１８】
請求項４によれば、頭部内に水が浸入しても、この水が胴部を介して新設管内に浸入するのをより確実に防止することができる。
【発明を実施するための最良の形態】
【００１９】
以下、本発明の一実施形態を図面に基づいて説明する。図１は、本発明の一実施例を示す地中管取替え装置の断面図、図２は、  図１のＡ−Ａ線に沿う断面図、図３は、図１のＢ−Ｂ線に沿う断面図、図４は、図１のＣ−Ｃ線に沿う断面図、図５は、図１のＤ−Ｄ線に沿う断面図、図６は、取り付けユニットの断面図、図７は、取り付けユニットの分解斜視図である。
【００２０】
図１において、地中管取替え装置１０は、頭部１２と胴部１４を備えており、頭部１２は、その先端側が、地中管としての既設管１６内に挿入され、後端側が胴部１４に連結され、胴部１４の後端側が新設管１８に連結されている。
【００２１】
頭部１２は、駆動エネルギー、例えば、油圧に応じて既設管１６に径が拡大する方向の力を付与して、既設管１６を破壊または破断するようになっている。
【００２２】
具体的には、頭部１２は、胴部１４の先端周縁部２０に径方向に揺動可能に連結された３対の後方ペタル２２と、この後方ペタル２２の先端に径方向に揺動可能に連結された３対の前方ペタル２４と、この前方ペタル２４の先端に連結された先端コーン２６を備えている。なお、後方ペタル２２や前方ペタル２４としては、２対のものや、４対のものを用いたり、５枚のものを用いたりすることもできる。
【００２３】
また、後方ペタル２２と前方ペタル２４には、前方刃や後方刃を付けない場合もあるが、付けた場合、３対の前方ペタル２２のうち地中管取替え装置１０の鉛直面に位置する一対の前方ペタル２４の後端部には、図２及ぶ図３に示すように、それぞれ前方刃２８が溶接等によって固定され、同じく、３対の後方ペタル２２のうち一対の後方ペタル２２の前端部には、それぞれ後方刃３０が溶接等によって固定されている。各前方刃２８と各後方刃３０の前端側には、既設管１６内を前進し易いようにテーパ部が設けられる。
【００２４】
頭部１２後端側には、流体圧（油圧又は空気圧）を駆動エネルギーとする駆動源、例えば、油圧源からの油圧で作動するアクチェータ３２が中心軸３４に沿って設置されており、アクチュエータ３２のラム３６の先端部３８と後方ペタル２２の先端部４０とがリンク４２によって連結されている。なお、ラム３６の先端部３８と前方ペタル２２の後端部とをリンク４２によって連結することも可能である。
【００２５】
ここで、アクチュエータ３２を作動させてラム３６を前進させると、頭部１２における前方刃２８及び後方刃３０の位置する部分の直径を大きく増大させることができ、ラム３６を後進させると、頭部１２における前方刃２８及び後方刃３０の位置する部分の直径を小さくして、前方ペタル２４及び後方ペタル２２を一直線にできる。前方刃２８及び後方刃３０の位置する部分の直径は、頭部１２を縮径して既設管１６に挿入したとき、前方刃２８が既設管１６に当接する程度が望ましい。前方ペタル２４の後端部に前方刃２８を取付、後方ペタル３０の前端部に後方刃３０を取り付けたのは、最も直径を増減できる位置で、なるべく両刃２８、３０を合わせた全長を長くするためである。
【００２６】
各前方ペタル２４の両側には側方張出し部２４ａ、２４ｂが設けられ、各後方ペタル２２の両側には側方張出し部２２ａ、２２ｂが設けられている。各前方ペタル２４の一側の側方張出し部２４ａは隣接する前方ペタル２４の他側の側方張出し部２４ｂと摺動可能に重なり、各ペタル２４の他側の側方張出し部２４ｂは隣接する前方ペタル２４の一側の側方張出し部２４ａと摺動可能に重なる。各後方ペタル２２の一側の側方張出し部２２ａは隣接する後方ペタル２２の他側の側方張出し部２２ｂと摺動可能に重なり、各後方ペタル２２の他側の側方張出し部２２ｂは隣接する後方ペタル２２の一側の側方張出し部２２ａと摺動可能に重なる。
【００２７】
各前方ペタル２４と各後方ペタル２２の両側にそれぞれ側方張出し部２４ａ、２４ｂ、２２ａ、２２ｂを設けたことにより、前方刃２８及び後方刃３０の位置する部分の直径を大きく増大させても、相隣接する前方ペタル２４間と相隣接する後方ペタル２２間に隙間を生ずることがないので、地中管取替え装置１０内に土砂や既設管１６の破片が浸入することがなくなる。なお、先端コーン２６には、牽引ケーブルを接続するために、スイベルジョイント（図示せず）が設けられる。
【００２８】
一方、胴部１４は、シールド筒４４と、スライド筒４６と、アダプタリング４８、５０を備え、胴部１４内には、駆動源からの駆動エネルギーとして、例えば、油圧をアクチュエータ３２に供給するケーブル５２、５４が胴部１４の長手方向に沿って配置され、アダプタリング４８内が、ゴム製ケーブル（ゴムホース）５２、５４を挿通するための領域を残して閉塞板５６によって閉塞されている。
【００２９】
シールド筒４４は、分割可能な筒体として形成され、スライド筒４６は、円筒状の小径部４６ａと大径部４６ｂが一体となって形成され、円筒状に形成されたアダプタリング４８、５０は、長手方向の端部がボルト５８を介して互いに連結され、アダプタリング５０の長手方向端部に形成された新設管連結部６０に新設管１８が連結されるようになっている。
【００３０】
シールド筒４４の先端周縁部２０には後方ペタル２２の後端部が連結され、先端周縁部２０の内周側にはフランジ６２が形成され、フランジ６２には貫通孔が形成されている。このフランジ６２にはピン６４を介して連結板６６の一端側が連結されており、連結板６６の他端側は、スライド筒４６の小径部４６ａ内周側に形成されたフランジ６８の貫通孔内に挿入されたピン７０を介して、フランジ６８に連結されている。すなわち、シールド筒４４は、連結板６６を介してスライド筒４６に連結され、小径部４６ａの頭部１２側への移動が、ストッパ４５との当接により阻止されている。
【００３１】
スライド筒４６は、小径部４６ａがシールド筒４４の内側に配置され、大径部４６ｂがアダプタリング４８の外側にスライド自在に配置されている。すなわち、頭部１２と新設管１８が同期して移動できないときには、大径部４６ｂがアダプリング４８に対して、長手方向に沿ってスライドするようになっている。
【００３２】
また、スライド筒４６の小径部４６ａとシールド筒４４との間には円環状のパッキン７２が装着され、大径部４６ｂとアダプタリング４８との間には円環状のパッキン７４が装着され、小径部４６ａとシールド筒４４との間または大径部４６ｂとアダプタリング４８との間から胴部１４内に土砂が浸入するのを防止する構造となっている。すなわち、パッキン７２、７４として、止水パッキンを用いずに、土砂の浸入を防止できる程度のものを用いている。これは、高圧水下で水の浸入を防止できる止水パッキンを用いると、頭部１２を引っ張る際に、スライド筒４６とアダプタリング４８との間の抵抗が大きくなり、スライド筒４６がアダプタリング４８に対してスライドできず、推進管と推進管の継ぎ手部が開くことがあるためである。
【００３３】
閉塞板５６は、図４および図５に示すように、略円盤状に形成されて、その周縁がアダプタリング４８の内周側に溶接等によって固着されており、この閉塞板５６には、図６及び図７に示すように、略長方形形状のケーブル挿通孔７６が形成されているとともに、ケーブル挿通孔７６の周囲にボルト７８を挿通するためのボルト挿通孔８０が６箇所形成されている。
【００３４】
この閉塞板５６のうち新設管１８側には止水パッキン８２と取り付けユニット８４が配置されており、取り付けユニット８４は、ボルト７８に挿通されたワッシャ８１とボルト７８に締結されたナット８３で止水パッキン８２を介して閉塞板５６に固定されている。止水パッキン８２は、略長方形形状に形成され、ケーブル挿通孔７６と略同じ形状のケーブル挿通孔８６が形成されているとともに、ケーブル挿通孔８６の周囲にボルト挿通孔８８が６箇所形成されている。なお、止水パッキン８２に代わりに、液状シールを用いることもできる。
【００３５】
取り付けユニット８４は、略長方形形状に形成された取り付け板８５を備えている。取り付け板８５は、略長方形形状に形成されており、取り付け板８５には、ケーブル５２を挿通するためのケーブル挿通孔（図示せず）とケーブル５４を挿通するためのケーブル挿通孔（図示せず）が形成されているとともに、ボルト７８を挿通するためのボルト挿通孔８９が形成されている。各ケーブル挿通孔の縁にはケーブル５２、５４をそれぞれ挿通するための筒体９０、９２が取り付け板８５と一体となって形成されている。なお、筒体９０、９２を取り付け板８５とは別体として形成し、筒体９０、９２を取り付け板８５に溶接等で固定する構成とすることもできる。
【００３６】
筒体９０、９２の中央部外周にはグリスニブル９４、９６が固定され、筒体９０、９２の長手方向端部には円環状の取り付け面９８、１００が形成されている。取り付け面９８、１００には、ボルト１０２を固定するための固定穴１０４が４箇所ずつ形成されている。各取り付け面９８、１００には、円環状の弾性パッキン１０６、金属製リング１０８、円環状の弾性パッキン１１０、円環状のパッキン押え１１２が順次装着される。
【００３７】
この際、弾性パッキン１０６、１１０は、ケーブル５２、５４の摺動が自在となるように、ケーブル５２、５４外周面に装着され、リング１０８は、ケーブル５２、５４との間に間隙を残してケーブル５２、５４外周側に装着される。この後、パッキン抑え１１２のボルト挿通孔１１４内にそれぞれボルト１０２が挿通され、各ボルト１０２にナット１１６が締結されるようになっている。
【００３８】
各ナット１１６の締結力を、パッキン押え１１２、弾性パッキン１１０、リング１０８、弾性パッキン１０６を介して取り付け面９８、１００に作用させることで、弾性パッキン１１０、リング１０８、弾性パッキン１０６がパッキン押え１１２により、取り付け面９８、１００にそれぞれ強固に固定される。
【００３９】
閉塞板５６に止水パッキン８２を介して取り付け板８５を固定し、取り付け板８５の筒体９０、９２の取り付け面９８、１００にそれぞれ弾性パッキン１０６、リング１０８、弾性パッキン１１０を介してパッキン押え１１２を固定した状態で、ケーブル５２、５４をそれぞれケーブル挿通孔７６、８６、筒体９０、９２、弾性パッキン１０６、リング１０８、弾性パッキン１１０、パッキン押え１１２内に挿通すると、ケーブル５２、５４の外周側には、弾性パッキン１０６、リング１０８、弾性パッキン１１０、パッキン押え１１２が装着される。
【００４０】
この際、ケーブル５２、５４は、弾性パッキン１０６、弾性パッキン１１０、パッキン押え１１２を介して取り付け板８５の筒体９０、９２に摺動自在に支持され、ケーブル５２、５４とケーブル挿通孔７６との間隙が止水パッキン８２と、取り付け板８５、筒体９０、９２、弾性パッキン１０６、リング１０８、弾性パッキン１１０、パッキン押え１１２を含む取り付けユニット８４とによって閉塞される。
【００４１】
すなわち、閉塞板５６は、止水パッキン８２、取り付けユニット８４とともに、アダプタリング４８内を、ケーブル５２、５４を挿通するための領域を残して閉塞する閉塞部材を構成するとともに、ケーブル５２、５４を摺動自在に支持する支持部材を構成することになる。
【００４２】
アダプタリング４８内を閉塞板５６等を用いて閉塞することで、頭部１２内に水が浸入し、この水がシールド筒４４内に浸入しても、この水がアダプタリング５０を介して新設管１８内に浸入するのを防止することができ、頭部１２に水が浸入しても、新設管１８の敷設作業を円滑に行うことができる。
【００４３】
また、ケーブル５２、５４は、取り付けユニット８４を介して閉塞板５６に摺動自在に支持されているので、頭部１２と胴部１４の移動が同期しないで、スライド筒４６が長手方向にスライドし、ケーブル５２、５４が長手方向に沿って伸縮しても、ケーブル５２、５４を円滑に移動させることができるとともに、ケーブル５２、５４が損傷するのを防止することができる。
【００４４】
また、リング１０８は、ケーブル５２、５４との間に間隙が形成されるように、内径の大きさが設定されており、このリング１０８には、ケーブル５２、５４外周側に潤滑剤としてのグリスを注入するためのグリス注入孔１１８が形成されている。このため、ケーブル５２、５４は、その外周側に、グリスニブル９４、９６から注入されたグリスがグリス注入孔１１８を介して注入されるので、移動がより円滑となる。
【００４５】
この地中管取替え装置１０によって既設管１６を新設管１８に取り替えるときは、図１に示したように、この地中管取替え装置１０の新設管連結部６０に新設管１８を接続し、頭部１２を縮径した状態で、先端コーン２６を牽引ケーブルで引張るとともに、新設管１８の後部を図示しないジャッキで押して、前方刃２８が破壊前の既設管１６に当接するか浅い傷を与える程度に、地中管取替え装置１０を前進させる。
【００４６】
次に、油圧源からの油圧をケーブル５２を介してアクチュエータ３２に供給し、アクチュエータ３２を作動させてラム３６を前進させて、頭部１２における前方刃２８及び後方刃３０の位置する部分の直径を大きく増大させる。これにより、前方刃２８及び後方刃３０によって既設管１６が切断破壊される。次に、油圧源からの油圧をケーブル５４を介してアクチュエータ３２に供給し、アクチュエータ３２を作動させてラム３６を後進させて、頭部１２における前方刃２８及び後方刃３０の位置する部分の直径を小さくして、地中管取替え装置１０を前進させる。
【００４７】
以下、頭部１２の縮径した状態での地中管取替え装置１０の前進と、頭部１２の拡径による既設管１６の破壊とを繰り返すことによって、既設管１６を新設管１８に取り替えていくことができる。
【００４８】
本実施例によれば、地中管取替え装置１０を既設管１６内に進入させて、アクチェータ３２を作動させ、前方ペタル２４及び後方ペタル２２を揺動させ、前方刃２８及び後方刃３０の設けられた部分の直径を増大させることによって、容易に既設管１６を破壊できる。そして、地中管取替え装置１０の前進と、前方刃２８及び後方刃３０の設けられた部分の直径増大による既設管１６の破壊とを繰り返すことにより、地面を開削することなく既設管１６を新設管１８へ取り替えることができる。
【００４９】
また、本実施例によれば、アダプタリング４８内を閉塞板５６等を用いて閉塞するようにしたため、地中管取替え装置１０を既設管１６内に進入させて、既設管１６を新設管１８に取り替える作業を行っているときに、頭部１２内に水が浸入し、この水がシールド筒４４内に浸入しても、この水がアダプタリング５０を介して新設管１８内に浸入するのを防止することができ、頭部１２に水が浸入しても、新設管１８の敷設作業を円滑に行うことができる。
【００５０】
また、本実施例によれば、ケーブル５２、５４は、取り付けユニット８４を介して閉塞板５６に摺動自在に支持されているので、地中管取替え装置１０を既設管１６内に進入させて、既設管１６を新設管１８に取り替える作業を行っているときに、頭部１２と胴部１４の移動が同期しないで、スライド筒４６が長手方向にスライドし、ケーブル５２、５４が長手方向に沿って伸縮しても、ケーブル５２、５４を円滑に移動させることができるとともに、ケーブル５２、５４が損傷するのを防止することができる。
【００５１】
また、アダプタリング４８内を閉塞板５６等を用いて閉塞するに際しては、閉塞板５６に、ケーブル挿通孔７６の代わりに、ケーブル５２、５４が挿通可能な円形のケーブル挿通孔を２個形成し、各ケーブル挿通孔の縁に沿って環状の止水パッキンを配置し、各止水パッキンを環状のパッキン固定部材（パッキン押え）で閉塞板５６に固定し、各止水パッキンとパッキン固定部材で、ケーブル５２、５４と各ケーブル挿通孔との間隙を埋める構成を採用することもできる。
【００５２】
また、ケーブル５２、５４の外周側には、グリスニブル９４、９６から注入されたグリスがグリス注入孔１１８を介して注入されるので、ケーブル５２、５４の移動を円滑に行うことができる。
【図面の簡単な説明】
【００５３】
【図１】本発明の一実施例を示す地中管取替え装置の断面図である。
【図２】図１のＡ−Ａ線に沿う断面図である。
【図３】図１のＢ−Ｂ線に沿う断面図である。
【図４】図１のＣ−Ｃ線に沿う断面図である。
【図５】図１のＤ−Ｄ線に沿う断面図である。
【図６】取り付けユニットの断面図である。
【図７】取り付けユニットの分解斜視図である。
【符号の説明】
【００５４】
１０  地中管取替え装置
１２  頭部
１４  胴部
１６  既設管
１８  新設管
４８、５０  アダプタリング
５６  閉塞板
７６  ケーブル挿通孔
８２  止水パッキン
８４  取り付けユニット
９０、９２  筒体
１０６  弾性パッキン
１０８  リング
１１０  弾性パッキン
１１２  パッキン押え
【図１】
2008214989.tif 000003
【図２】
2008214989.tif 000004
【図３】
2008214989.tif 000005
【図４】
2008214989.tif 000006
【図５】
2008214989.tif 000007
【図６】
2008214989.tif 000008
【図７】
2008214989.tif 000009